(57)【要約】【課題】  比較的低い内圧のまま少量の水を送水経路に沿って経路周辺に連続的に均等に散水すること。【解決手段】  水の移動方向に沿って位置する透水性に劣る厚い布部分と、これに隣接して設けた通水性に富む薄い布部分を備えた織布から構成し、厚い布部分は水を保水するとともに、薄い布部分が厚い布部分に比べて多くの水を流出させる帯状の放水面を形成している。【選択図】図７
2008148676.tif 000002
【特許請求の範囲】
【請求項１】
内部を水の流れる扁平なチューブ状の形態をした散水手段にして、この散水手段は、水の移動方向に沿って位置する透水性に劣る厚い布部分と、これに隣接して設けた通水性に富む薄い布部分を備えた織布からなり、厚い布部分は水を保水するとともに、薄い布部分が厚い布部分に比べて多くの水を流出させる帯状または線状の放水面を形成した給水チューブ。
【請求項２】
請求項１に記載された給水チューブにおいて、給水チューブは被積雪に布設して用いられる給水チューブ。
【請求項３】
請求項１に記載された滲みだし給水チューブにおいて、当該給水チューブは土壌面に敷設してか埋設して用いられる給水チューブ。
【発明の詳細な説明】
【技術分野】
【０００１】  本発明は、チューブ壁から水の滲みだす給水チューブ、より具体的には織布の織り目を通じて水を滲みださせる給水チューブに係る。この給水チューブは、豪雪地では、冬期に温水の散水用として融雪目的のために利用でき、また栽培土壌への散水ホースとして用いることができる。
【背景技術】
【０００２】  袋状の散水チューブは、歩行者の妨げにならず車両が用意に乗り越えられる扁平な形態をした押出し成形樹脂チューブから構成され、安価で扱いやすいため様々な散水用途に使用されている。
散水チューブは、多数の細かいスプレイ水を周囲に散逸させて広範囲に散水する構造のものである。散水量はノズルの数によってきまるので用途によっては水量の過不足が生じることもあるが、噴射水量は内圧に比例して増減するためバルブ調整によってこれに対応することもできた。【０００３】  しかし、積雪した融雪面への散水や茎葉の林立する土壌への給水に使用するときには、水の噴射経路上のそうした障害物のため噴射水はこれにぶつかって飛翔できず均等に分散できない。その結果、多すぎる放水量によりチューブ周辺に大量の水が滞り、水を無駄使いして散布面は狭められる。地下水を散水するのであれば確保できる水の量は限られているので、散布区域が必要面積をカバーできなければその影響は深刻である。また、水ノズルチューブはノズル穿孔径が小さく詰まりやすいので、長期間放置したままでの使用はできない。【０００４】  屋根面への融雪散水や土壌散水の用途において、この欠点は広域給水と維持管理面で大きな障害である。具体的には、開放された空間での使用でないかぎり予定した散布面に放水が到達しないので、融雪に使用した場合には雪溜りが生じ、土壌用では小川ができて土砂の流失するなど問題があった。【０００５】  その対策として、全面から水が滲みだす放水量の少ない円形断面のホースを選択する方法がある。その一例として、繊維材と樹脂を混練した複合材を押出し整形してなる可撓性ホースが使われている。しかしながら、こうした作りのホースは潰し変形に弱く、内圧を上げた状態で水を滲みださせる構造のため、ホース壁に割れやヒビが入ると水の噴出漏水が起こりやすい。屋外暴露状態での長期使用が前提であるので漏水の保守は使用者には容認しがたい。
【特許文献１】  特許第３５１２８５２号
【特許文献２】  特開２００５−３４１８４０号公報
【発明の開示】
【発明が解決しようとする課題】
【０００６】  解決しようとする問題点は、比較的低い内圧のまま少量の水を送水経路に沿って経路周辺に連続的に均等に散水できない点である。
【課題を解決するための手段】
【０００７】  本発明は、内部を流れる水に対して透水性に劣る部分と通水性に富む部分からなる帯状または線状の放水領域を織布構造に付加したことを主要な特徴としている。
【発明の効果】
【０００８】  織布で構成された水の送水経路は柔軟で下地の凹凸によく馴染み、上部からの転圧に対しても柔軟に変形するので設置場所に制約が少ない。チューブ内部に水を包み込んで流しながら周囲に均一に粛々と給水できる利点がある。
【発明を実施するための最良の形態】
【０００９】  送水経路周辺に少量の水をムラなく均等に散布するという目的を、織布構造を利用して形成した帯状の微細ノズルの給水領域を形成して実現した。。
【実施例１】
【００１０】  説明の便宜上、折半屋根の融雪用に使用する事例について説明する。
折半屋根は屋根構造が単純で耐圧性に優れているため、規模の大きな建物に多く見られる屋根形式である。こうした大型の折半屋根の融雪には地下水の散水方式が一般的であり、スプリンクラや噴射ノズル等の散布器を使用する事例が多く見られる。しかし、長時間わたり多量の雪が降り続くと融雪が追いつかず、屋根凹凸面に対する熱媒体の斜め方向への散布では尾根が遮蔽物になって濡れムラができやすく、また粒子が外気中を飛翔するため大気への放熱ロスが大きい。また風雪が強くてスプレイ水が飛ばされてしまうときには散水の効果が失われる。このような状況下では雪溜りが拡大し残雪がつながって屋根表面を広範囲に雪が被り、下側にトンネルが形成され、やがては屋根全面が雪で覆われ積雪が拡大していく。【００１１】  図１はそうした折半屋根の事例である。折半屋根は凹所の谷部１と凸所の尾根２および両者の間に位置する傾斜側面３を備えている。尾根２の上部には、屋根材の連結部４が尾根から突出し縦方向に延びている。図１はそうした折半屋根の具体例を示している。
図２は、図１の折半屋根を吸水性のあるストリップ材５で覆った状態を示している。ストリップ材５は、傾斜側面３から屋根材連結部４に、そしてこの屋根材連結部から反対側の傾斜側面３にかけて屋根材を覆い、屋根材連結部４から傾斜側面３にいたる連続したスロープを形成している。【００１２】  本発明に係る給水チューブ６は、屋根材連結部４の上部位置の前記ストリップ材上に設置されている。この給水チューブ６の内部には、給水チューブ上流側の散水手段（図示せず）から放出された水が流される。給水チューブ６内を流れる水は給水チューブ壁面を透過して給水チューブ両側のストリップ材５の表面に流出するようにしている。流出した水はストリップ材に含浸し拡散しながらスロープに沿って流下し、折半屋根の谷部１に集まり谷部に沿って流れていく。【００１３】  図７は、給水チューブ６の詳細を示している。給水チューブは内部を水の流れる扁平な形態をしていて、水の移動方向に沿って位置する透水性に劣る厚い布部分６ａと、これに隣接して設けた通水性に富む薄い布部分６ｂを備えた織布から構成されている。厚い布部分６ａは保水性に富み、薄い布部分６ｂが通水に富み厚い布部分に比べて多くの水を流出させる部分である。厚い布部分を製作するには、例えば、綾織組織を用い、薄い布部分には平織組織を利用することができる。糸番手と撚り糸本数を適宜選択すれば織り目の透水性は変えられる。必要に応じて散水布チューブ外面の一部に樹脂のコート層を付着させておくことも可能である。【００１４】  図示の例では、薄い布部分６ｂは給水チューブの両側部に位置し、帯状の放水面を形成している。
図３から６は、給水チューブを製作する具体的な手順を示している。
図３に示すチューブ材料は、綾織地Ａと平織地Ｂから構成された１枚の織布の形態をしている。この織布は図４に示すように、上下に綾織地Ａと平織地Ｂを重ね合わせて折り畳まれる。右側の平織地の端縁は縦糸のほつれを防ぐために内側に織り込まれ、図６に示すように縫い合わされる。図７のように、左側の平織地の端縁も右側の端縁と同様に縫い合わせておけば、チューブが内圧の影響で膨らんでも変形の程度はほぼ左右対称となり、左右の散水量はほぼ等量になる。ミシン縫いする位置を左右にずらすことにより通路の断面形状は変化するので流量も変えることができる。
【実施例２】
【００１５】  給水チューブ６の構造は、別段、前述したものに限定されない。
例えば、図８に示す織布材料を使用すれば、片側に給水領域を形成することができる。図９の例では、端縁は縫製によらず溶着して接合されている。給水チューブに内圧が加われば、図１０に示すように、溶着した端縁を起点にチューブは扇形に開き内圧は軽減されるので流出量は比較的安定している。【００１６】  給水チューブから流出した水はストリップ材を伝わりながら尾根の傾斜側面を流下し、流下側面に付着した雪を洗い流しながら溶かしていく。流れ落ちた水と雪シャーベットは谷部５に集まり排水される。
給水チューブの上流側に配置した散水パイプを用いて給水チューブ内への水の供給が行なわれる。散水パイプの設置間隔は、投入される水の温度にもよるが、例えば、投入される水が摂氏１５度の温水２リットルとすれば約１０メートル程である。
【産業上の利用可能性】
【００１７】  積雪面を比較的少量の水で融雪処理および／または冷却できるため、井戸施設またはボイラー設備を使用して、工場、駅舎、公共施設のような数万平米におよぶ長尺大型折半屋根にも対応することができる。
【図面の簡単な説明】
【００１８】
【図１】  折半屋根の一例を示す簡略斜視図である。
【図２】  図１の折半屋根をストリップ材で覆った状態の概略斜視図である。
【図３】  給水チューブの製作材料を示す説明図である。
【図４】  材料を重ねあわせた状態を示す説明図である。
【図５】  端縁を折り込んだ状態を示す説明図である。
【図６】  両端縁を縫製した状態を示す説明図である。
【図７】  内圧が加わって膨らんだ給水チューブを示す説明図である。
【図８】  給水チューブの他の例を示す説明図である。
【図９】  材料を重ねあわせた状態を示す説明図である。
【図１０】  内圧が加わって膨らんだ給水チューブを示す説明図である。
【符合の説明】
【００１９】３  傾斜側面
４  屋根材連結部
５  ストリップ材
６  給水チューブ
６ａ  厚い布部分
６ｂ  薄い布部分
【図１】
2008148676.tif 000003
【図２】
2008148676.tif 000004
【図３】
2008148676.tif 000005
【図４】
2008148676.tif 000006
【図５】
2008148676.tif 000007
【図６】
2008148676.tif 000008
【図７】
2008148676.tif 000009
【図８】
2008148676.tif 000010
【図９】
2008148676.tif 000011
【図１０】
2008148676.tif 000012